(57)【要約】【目的】  撮影禁止区域への撮影機器の持ち込みを禁止する。【構成】  撮影機器持ち込み禁止システム１０では、カメラ１４に設けられたＩＤタグから発信された無線信号が検出ゲート２０に設けられたアンテナ２２に受信され、撮影禁止区域１２へのカメラ１４の持ち込みが検出される。また、検出されたカメラ１４のＩＤ番号が読取装置２４によって読み込まれ、このＩＤ番号が発券装置２８から発券される引換券に印刷される。そして、カメラ１４の返却時にハンドスキャナ２５によって引換券のＩＤ番号を読み取り、読取装置２４によってカメラ１４のＩＤ番号をＩＤタグから読取ってこれらを照合する。【選択図】  図１
2005128839.tif 000002
【特許請求の範囲】
【請求項１】
撮影禁止区域への撮影機器の持ち込みを禁止する撮影機器持ち込み禁止システムであって、
前記撮影機器に備えられ、信号を発信する無線タグと、
前記撮影禁止区域の入場口に設置され、前記無線タグから発信された信号を受信し、前記撮影機器を検出する検出手段と、
を有することを特徴とする撮影機器持ち込み禁止システム。
【請求項２】
前記無線タグから発信される信号は、前記撮影機器に付与された識別情報であり、
前記無線タグから発信される識別情報を読取る第１識別情報読取り手段と、
前記第１識別情報読取り手段によって読取られた前記識別情報を引換券に印刷し、前記識別情報が印刷された前記引換券を発券する発券手段と、
前記撮影機器の返却時に前記引換券に印刷された前記識別情報と前記無線タグから発信される前記識別情報を照合する第１照合手段と、
を有することを特徴とする請求項１に記載の撮影機器持ち込み禁止システム。
【請求項３】
前記第１識別情報読取り手段によって読取られた前記識別情報を記録する第１記録手段と、
返却された前記撮影機器の前記無線タグから発信される前記識別情報を読取る第２識別情報読取り手段と、
前記撮影禁止区域で撮影された画像を前記撮影機器の持ち主に提供する第１提供手段と、
前記第２識別情報読取り手段によって読取られた前記識別情報と前記第１記録手段に記録された前記識別情報が一致すると、第１提供手段を作動可能とする第１制御手段と、
を有することを特徴とする請求項２に記載の撮影機器持ち込み禁止システム。
【請求項４】
前記無線タグは情報を入力可能であり、
前記検出手段によって検出された前記撮影機器を持ち主から預かる際に前記持ち主に渡される引換券に記載された引換情報を、前記無線タグに入力する第１入力手段と、
前記撮影機器の返却時に前記引換券に記載された前記引換情報と前記無線タグから発信される前記引換情報を照合する第２照合手段と、
を有することを特徴とする請求項１に記載の撮影機器持ち込み禁止システム。
【請求項５】
前記第１入力手段によって前記無線タグに入力された前記引換情報を記録する第２記録手段と、
返却された前記撮影機器の前記無線タグから発信される前記引換情報を読取る引換情報読取り手段と、
前記撮影禁止区域で撮影された画像を前記持ち主に提供する提供手段と、
前記引換情報読取り手段によって読取られた前記引換情報と前記第２記録手段に記録された前記引換情報が一致すると、前記第２提供手段を作動可能とする第２制御手段と、
を有することを特徴とする請求項４に記載の撮影機器持ち込み禁止システム。
【請求項６】
前記無線タグは情報を入力可能であり、
前記撮影禁止区域に前記撮影機器の持ち主が入場した入場記録を前記無線タグに入力する第２入力手段と、
返却された前記撮影機器の前記無線タグから発信される前記入場記録を読取る入場記録読取り手段と、
前記撮影禁止区域で撮影された画像を前記撮影機器の持ち主に提供する第３提供手段と、
前記入場記録読取り手段によって前記入場記録が読取られると、第３提供手段を作動可能とする第３制御手段と、
を有することを特徴とする請求項１に記載の撮影機器持ち込み禁止システム。
【発明の詳細な説明】
【技術分野】
【０００１】
本発明は、カメラやビデオカメラ等の撮影機器をコンサートホールや美術館等の撮影禁止区域へ持ち込むことを禁止するための撮影機器持ち込み禁止システムに関する。
【背景技術】
【０００２】
従来、コンサートホールや美術館等の撮影禁止区域でのカメラやビデオカメラ等の撮影機器による撮影は、入場者の自主性や入場口での持ち物検査によって規制されていた。しかし、入場者の不注意によって撮影禁止区域での撮影が行われる、持ち物検査は人手を要し、また、入場者を場内へ誘導するのに時間がかかる等の問題があった。
【０００３】
ところで、従来から無線タグによって物や人の流れを管理するシステム（例えば、特許文献１乃至３参照）は考案されているが、物の持ち込みを禁止するという目的で無線タグを用いているシステムは未だ考案されていない。
【特許文献１】特開２００１−３２８７１３号公報
【特許文献２】特開平１１−７８６５３号公報
【特許文献３】特開２００３−１１６１２７号公報
【発明の開示】
【発明が解決しようとする課題】
【０００４】
本発明は上記事実を考慮してなされたものであり、コンサートホールや美術館等の撮影禁止区域へカメラやビデオカメラ等の撮影機器が持ち込まれることを確実に速やかに検出することを目的とする。
【課題を解決するための手段】
【０００５】
請求項１に記載の撮影機器持ち込み禁止システムは、撮影禁止区域への撮影機器の持ち込みを禁止する撮影機器持ち込み禁止システムであって、前記撮影機器に備えられ、信号を発信する無線タグと、前記撮影禁止区域の入場口に設置され、前記無線タグから発信された信号を受信し、前記撮影機器を検出する検出手段と、を有することを特徴とする。
【０００６】
請求項１に記載の撮影機器持ち込み禁止システムでは、無線タグがカメラ等の撮影機器に備えられており、この撮影機器を持った入場者が美術館等の撮影禁止区域の入場口を通ると、無線タグから発信された信号が撮影禁止区域の入場口に設置された検出手段に受信され、撮影機器が検出される。
【０００７】
これによって、撮影機器を撮影禁止区域へ持ち込むことを確実に防止できる。また、入場者の一人一人に対して持ち物検査をする必要がないので、スムーズに入場者を撮影禁止区域に入場させることができる。さらに、検査人員を削減できる。
【０００８】
請求項２に記載の撮影機器持ち込み禁止システムは、請求項１に記載の撮影機器持ち込み禁止システムであって、前記無線タグから発信される信号は、前記撮影機器に付与された識別情報であり、前記無線タグから発信される識別情報を読取る第１識別情報読取り手段と、前記第１識別情報読取り手段によって読取られた前記識別情報を引換券に印刷し、前記識別情報が印刷された前記引換券を発券する発券手段と、前記撮影機器の返却時に前記引換券に印刷された前記識別情報と前記無線タグから発信される前記識別情報を照合する第１照合手段と、を有することを特徴とする。
【０００９】
請求項２に記載の撮影機器持ち込み禁止システムでは、撮影機器に付与された識別情報の信号が、無線タグから発信され、第１識別情報読取り手段によって読取られる。そして、発券手段は、この識別情報を引換券に印刷し、識別情報が印刷された引換券を発券する。
【００１０】
そして、この引換券と引換えに撮影機器を持ち主から預かり、その後、預かった撮影機器を持ち主に返却する時には、引換券に印刷された識別情報と無線タグから発信される識別情報が第１照合手段によって照合される。これによって、預かった撮影機器を間違いなく持ち主に返却できる。
【００１１】
請求項３に記載の撮影機器持ち込み禁止システムは、請求項２に記載の撮影機器持ち込み禁止システムであって、前記第１識別情報読取り手段によって読取られた前記識別情報を記録する第１記録手段と、返却された前記撮影機器の前記無線タグから発信される前記識別情報を読取る第２識別情報読取り手段と、前記撮影禁止区域で撮影された画像を前記撮影機器の持ち主に提供する第１提供手段と、前記第２識別情報読取り手段によって読取られた前記識別情報と前記第１記録手段に記録された前記識別情報が一致すると、第１提供手段を作動可能とする第１制御手段と、を有することを特徴とする。
【００１２】
請求項３に記載の撮影機器持ち込み禁止システムでは、第１識別情報読取り手段によって読取られた識別情報が第１記録手段に記録される。そして、撮影機器が持ち主に返却された後、この撮影機器の無線タグから発信された識別情報が第２識別情報読取り手段によって読取られ、第１記録手段に記録された識別情報と第２識別情報読取り手段によって読取られた識別情報が一致すると、第１制御手段によって第１提供手段が作動可能となる。これによって、撮影禁止区域で撮影された画像を撮影機器の持ち主にのみ提供できる。
【００１３】
ここで、第１提供手段とは、撮影禁止区域で撮影された画像を、その場でプリントアウトするプリンタや、撮影禁止区域で撮影された画像のデータを持ち主に配信する配信システム等である。
【００１４】
請求項４に記載の撮影機器持ち込み禁止システムは、請求項１に記載の撮影機器持ち込み禁止システムであって、前記無線タグは情報を入力可能であり、前記検出手段によって検出された前記撮影機器を持ち主から預かる際に前記持ち主に渡される引換券に記載された引換情報を、前記無線タグに入力する第１入力手段と、前記撮影機器の返却時に前記引換券に記載された前記引換情報と前記無線タグから発信される前記引換情報を照合する第２照合手段と、を有することを特徴とする。
【００１５】
請求項４に記載の撮影機器持ち込み禁止システムでは、撮影機器に備えられた無線タグは情報を入力可能である。この無線タグには第１入力手段によって引換情報が入力される。この引換情報とは、撮影禁止区域への持ち込みを検出された撮影機器を持ち主から預かる際に持ち主に渡される引換券に記載された情報である。
【００１６】
そして、撮影機器を持ち主に返却する時には引換券に記載された引換情報と無線タグから発信される引換情報が第２照合手段によって照合される。これによって、持ち主から預かった撮影機器を間違いなく持ち主に返却できる。
【００１７】
請求項５に記載の撮影機器持ち込み禁止システムは、請求項４に記載の撮影機器持ち込み禁止システムであって、前記第１入力手段によって前記無線タグに入力された前記引換情報を記録する第２記録手段と、返却された前記撮影機器の前記無線タグから発信される前記引換情報を読取る引換情報読取り手段と、前記撮影禁止区域で撮影された画像を前記持ち主に提供する提供手段と、前記引換情報読取り手段によって読取られた前記引換情報と前記第２記録手段に記録された前記引換情報が一致すると、前記第２提供手段を作動可能とする第２制御手段と、を有することを特徴とする。
【００１８】
請求項５に記載の撮影機器持ち込み禁止システムでは、第１入力手段によって無線タグに入力された引換情報が第２記録手段に記録される。そして、撮影機器が持ち主に返却された後、この撮影機器の無線タグから発信された引換情報が引換情報読取り手段によって読取られ、第２記録手段に記録された識別情報と引換情報読取り手段によって読取られた識別情報が一致すると、第２制御手段によって第２提供手段が作動可能となる。これによって、撮影禁止区域で撮影された画像を撮影機器の持ち主にのみ提供できる。
【００１９】
ここで、第２提供手段とは、請求項３に記載の第１提供手段と同様、撮影禁止区域で撮影された画像を、その場でプリントアウトするプリンタや、撮影禁止区域で撮影された画像のデータを持ち主に配信する配信システム等である。
【００２０】
請求項６に記載の撮影機器持ち込み禁止システムは、請求項１に記載の撮影機器持ち込み禁止システムであって、前記無線タグは情報を入力可能であり、前記撮影禁止区域に前記撮影機器の持ち主が入場した入場記録を前記無線タグに入力する第２入力手段と、返却された前記撮影機器の前記無線タグから発信される前記入場記録を読取る入場記録読取り手段と、前記撮影禁止区域で撮影された画像を前記撮影機器の持ち主に提供する第３提供手段と、前記入場記録読取り手段によって前記入場記録が読取られると、第３提供手段を作動可能とする第３制御手段と、を有することを特徴とする。
【００２１】
請求項６に記載の撮影機器持ち込み禁止システムでは、検出手段によって撮影禁止区域へ撮影機器の持ち込みが検出されると、この撮影機器の持ち主が撮影禁止区域へ入場した入場記録が、第２入力手段によって無線タグに入力される。そして、撮影機器が持ち主に返却された後、この撮影機器の無線タグから発信される入場記録が入力情報読取り手段によって読取られると、第３制御手段によって第３提供手段が作動可能となる。これによって、撮影禁止区域で撮影された画像を撮影機器の持ち主にのみ提供できる。ここで、第３提供手段は、第１、第２提供手段と同様である。
【発明の効果】
【００２２】
本発明は上記構成にしたので、コンサートホールや美術館等の撮影禁止区域へカメラやビデオカメラ等の撮影機器が持ち込まれることを確実に、そして速やかに検出できる。また、預かった撮影機器を間違いなく持ち主に返却できる。さらに、撮影禁止区域での撮影を禁止した入場者に対してのみ特別にサービスを提供できる。
【発明を実施するための最良の形態】
【００２３】
以下に図面を参照しながら第１実施形態について説明する。
【００２４】
図１に示すように、本実施形態の撮影機器持ち込み禁止システム（以下、システムという）１０は、美術館やコンサートホール等の撮影禁止区域１２へのカメラ１４やビデオカメラ等の撮影機器の持ち込みを禁止するためのシステムである。
【００２５】
図２に示すように、システム１０は、まずカメラ１４の表面に備えられたＩＤタグ（無線タグ）１６を備える。このＩＤタグ１６には、カメラ１４に付与されたＩＤ番号が入力されており、このＩＤ番号を無線信号として発信する。
【００２６】
また、図１に示すように、システム１０は、撮影禁止区域１２の入場口１８に設置された検出ゲート２０を備える。検出ゲート２０には、無線タグ１６から発信される無線信号を受信するアンテナ（検出手段）２２が設けられている。
【００２７】
また、システム１０は、無線タグ１６から発信されるＩＤ番号の無線信号を読取る読取装置２４（図３参照）、及び読取装置２４によって読取られたＩＤ番号を引換券２６に印刷し、ＩＤ番号が印刷された引換券２６を発券する発券装置２８を備える。この読取装置２４、及び発券装置２８は、有線で接続され、撮影装置１４の預け受け、返却を行うカウンター３０に設置されている。また、読取装置２４には引換券２６に印刷されたＩＤ番号を読取るためのハンドスキャナ２５が備えられている。
【００２８】
さらに、図４に示すように、システム１０は、カメラ１４を返却した後に、撮影禁止区域１２で撮影された画像を、カメラ１４の持ち主に提供するための提供装置３２を備える。この提供装置３２は、図５に示すように、読取装置２４によって読取られたＩＤ番号を記録する記録部３４、返却されたカメラ１４のＩＤタグ１６から発信されるＩＤ番号を読取るＩＤリーダ３６、提供装置３２の全体の制御を司る制御部３８、制御部３８に個人情報等を入力する入力部４０、撮影禁止区域１２で撮影された画像の画像データをサーバー４６と送受信する画像データ通信部４２、及び撮影禁止区域１２で撮影された画像をプリントアウトするプリント部４４を備える。
【００２９】
以下、図５のフローチャートを参照してシステム１０によってカメラ１４を検出して回収し、そして返却し、さらに返却後に画像のサービスをするまでの流れについて説明する。
【００３０】
各装置に電源が投入されると本フローが開始され、ステップ１００へ進む。ステップ１００では、検出ゲート２０を通る入場者が保持しているカメラ１４のＩＤタグ１６から発信される無線信号がアンテナ２２によって受信されるまで否定判定が繰り返され、肯定されるとステップ１０１へ進む。
【００３１】
ステップ１０１では、検出ゲート２０に備えられたブザー（図示省略）から音が鳴らされる。そして、ステップ１０２において、図７に示すように、カメラ１４を保持した入場者はカウンター３０にいる係員の所へ行き、カメラ１４を係員に預ける。
【００３２】
そして、ステップ１０３へ進み、図３に示すように、係員は、回収したカメラ１４のＩＤタグ１６を読取装置２４のＩＤリーダ２９に向けて、ＩＤタグ１６から発信されるＩＤ番号の信号をＩＤリーダ２９に読取らせる。そして、ステップ１０４へ進む。
【００３３】
ステップ１０４では、ＩＤリーダ２９によって読取られたＩＤ番号が発券装置２８へ送信される。そして、読取装置２４の制御部２７（図５参照）は、発券装置２８を作動させ、受信したＩＤ番号を引換券２６に印刷し、ＩＤ番号が印刷された引換券２６を発券する。そして、ステップ１０５へ進む。
【００３４】
ステップ１０５では、図７に示すように、カメラ１４の持ち主は引換券２６を係員から受け取って撮影禁止区域１２へ入場する。そして、撮影禁止区域１２から退場したカメラ１４の持ち主に回収していたカメラ１４を返却するが、この際、引換券２６に印刷されているＩＤ番号とカメラ１４のＩＤタグ１６から発信されるＩＤ番号との照合を行う。
【００３５】
まず、ステップ１０６では、回収時と同様に、カメラ１４のＩＤタグ１６を読取装置２４のＩＤリーダ２９に向けてＩＤタグ１６から発信されるＩＤ番号をＩＤリーダ２９に読取らせる。そしてステップ１０７へ進み、引換券２６に印刷されたＩＤ番号をハンドスキャナ２５によって読み取らせ、ステップ１０８へ進む。
【００３６】
ステップ１０８では、ＩＤリーダ２９によって読取られたＩＤタグ１６から発信されるＩＤ番号と、ハンドスキャナ２５によって読取られた引換券２６に印刷されたＩＤ番号が一致するか否かが読取装置２４の制御部２７によって判定され、否定されるとステップ１０９へ進む。ステップ１０９では、読取装置２４に備えられたブザー（図示省略）が鳴らされる。そして、ステップ１０８において肯定されると、ステップ１１０へ進み、カメラ１４のＩＤ番号が提供装置３２の記録部３４に記録される。
【００３７】
その後、カメラ１４を返却された持ち主は、提供装置３２によって撮影禁止区域１２で撮影された画像のサービスを受けることができる。まず、ステップ１１１では、提供装置３２のＩＤリーダ３６がカメラ１４のＩＤタグ１６から発信されたＩＤ番号を読取るまで否定判定が繰り返され、肯定されるとステップ１１２へ進む。
【００３８】
ステップ１１２では、制御部３８が、ＩＤリーダ３６によって読取られたＩＤ番号が記録部３４に記録されているか否かを判定し、肯定されるとステップ１１３へ進み、否定されると画像サービスは行われずに本フローを終了する。
【００３９】
ステップ１１３では、プリントサービスか画像データ配信サービスかを選択する。入力部４０には、プリントサービスか画像データ配信サービスかを選択する選択ボタン（図示省略）が備えられている。プリントサービスが選択されるとステップ１１４へ進み、画像データ配信サービスが選択されるとステップ１１５へ進む。
【００４０】
ステップ１１４では、入力部４０に備えられた画像選択ボタン（図示省略）によって所望の画像コマを選択し、プリントボタン（図示省略）を押してプリントアウトし、本フローを終了する。
【００４１】
ステップ１１５では、図８に示すように、入力部４０によってメールアドレス等の個人情報を入力し、画像選択ボタンによって所望の画像コマを選択し、転送ボタン（図示省略）を押して画像データをサーバー４６から携帯電話４８や自宅のパソコン４９に配信する。そして、本フローを終了する。
【００４２】
以上、説明したように、カメラ１４にＩＤタグ１６を設け、ＩＤタグ１６から発信される無線信号をアンテナ２２に受信させることによって撮影禁止区域１２へのカメラ１４の持ち込みを検出するようにしたので、入場者の一人一人に対して持ち物検査をする必要がなく、撮影禁止区域への入場者の誘導をスムーズに行うことができる。
【００４３】
また、回収したカメラ１４を返却する際には、ＩＤタグ１６から発信されるＩＤ番号と、引換券２６に記載されているＩＤ番号との照合を行うことによって、持ち主から預かったカメラ１４を間違いなく持ち主に返却できる。
【００４４】
さらに、撮影禁止区域１２での撮影を禁止した入場者に対して特別に画像サービスを提供できる。
【００４５】
次に、第２実施形態について説明する。なお、第１実施形態と同様の構成には同一の符号を付し、説明は省略する。
【００４６】
図９に示すように、カメラ５２の表面にはＲＦＩＤタグ５４が設けられている。このＲＦＩＤタグ５４は、情報の読み出し、及び書き換えが可能な媒体である。
【００４７】
図１０に示すように、撮影機器持ち込み禁止システム（以下、システムという）５０は、第１実施形態と同様、撮影禁止区域１２の入場口１８に設置された検出ゲート２０を備える。検出ゲート２０には、ＲＦＩＤタグ５４から発信される無線信号を受信するアンテナ（検出手段）２２が設けられている。
【００４８】
また、システム１０は、ＲＦＩＤタグ５４に引換券６０（図１５参照）に記載された引換番号を書き込み、また、この引換番号をＲＦＩＤタグ５４から読取る読取書込装置５６（図１１参照）を備える。この読取書込装置５６には、ＲＦＩＤタグ５４との間で情報の読取、書込みを行うＲＦＩＤリーダライタ５８（図１２参照）、及び返却時に引換券６０の引換番号を読取るためのハンドスキャナ２５が備えられている。また、読取書込装置５６は、撮影装置５２の回収、返却を行うカウンター３０に設置されている。
【００４９】
さらに、図１３に示すように、システム１０は、カメラ５２を返却した後に、撮影禁止区域１２で撮影された画像を、回収されたカメラ５２の持ち主に提供するための提供装置６２を備える。この提供装置６２は、図１２に示すように、読取書込装置５６によってＲＦＩＤタグ５４に書き込まれた引換番号を記録する記録部６４、返却されたカメラ５２のＲＦＩＤタグ５４から発信される引換番号を読取るＩＤリーダ６６、提供装置６２の全体の制御を司る制御部６８、制御部６８に個人情報等を入力する入力部４０、撮影禁止区域１２で撮影された画像の画像データをサーバ７２と送受信する画像データ通信部４２、及び撮影禁止区域１２で撮影された画像をプリントアウトするプリント部７１を備える。
【００５０】
以下、図１４のフローチャートを参照してシステム５０によってカメラ５２を検出して回収し、そして返却し、さらに返却後に画像のサービスをするまでの流れについて説明する。
【００５１】
各装置に電源が投入されると本フローが開始され、ステップ２００へ進む。ステップ２００では、検出ゲート２０を通る入場者が保持しているカメラ５２のＲＦＩＤタグ５４から発信される無線信号がアンテナ２２によって受信されるまで否定判定が繰り返され、肯定されるとステップ２０１へ進む。
【００５２】
ステップ２０１では、検出ゲート２０に備えられたブザー（図示省略）から音が鳴らされる。そして、ステップ２０２において、図１５に示すように、カメラ５２を保持した入場者はカウンター３０にいる係員の所へ行き、カメラ５２を係員に預ける。
【００５３】
そして、ステップ２０３へ進み、図１１に示すように、係員は、回収したカメラ５２のＲＦＩＤタグ５４を読取書込装置５６のＲＦＩＤリーダライタ５８に向けて、カメラ５２の持ち主に渡される引換券６０に記載された引換番号をＲＦＩＤタグ５４に入力する。そして、ステップ２０４へ進む。
【００５４】
ステップ２０４では、図１５に示すように、カメラ５２の持ち主は引換券６０を係員から受け取って撮影禁止区域１２へ入場する。そして、撮影禁止区域１２から退場したカメラ５２の持ち主に回収していたカメラ５２を返却するが、この際、引換券６０に記載されている引換番号とカメラ５２のＲＦＩＤタグ５４から発信される引換番号との照合を行う。
【００５５】
まず、ステップ２０５では、カメラ５２のＲＦＩＤタグ５４を読取書込み装置５６のＲＦＩＤリーダライタ５８に向けてＲＦＩＤタグ５４から発信される引換番号をＲＦＩＤリーダライタ５８に読取らせる。そしてステップ２０６へ進み、引換券６０に記載された引換番号をハンドスキャナ２５によって読み取らせ、ステップ２０７へ進む。
【００５６】
ステップ２０７では、ＲＦＩＤリーダライタ５８によって読取られたＲＦＩＤタグ５４から発信される引換番号と、ハンドスキャナ２５によって読取られた引換券６０に記載された引換番号が一致するか否かが読取書込装置５６の制御部７０（図１２参照）によって判定され、否定されるとステップ２０８へ進む。ステップ２０８では、読取書込装置５６に備えられたブザー（図示省略）が鳴らされる。そして、ステップ２０７において肯定されると、ステップ２０９へ進み、引換番号が提供装置６２の記録部６４に記録される。
【００５７】
その後、カメラ５２を返却された持ち主は、提供装置６２によって撮影禁止区域１２で撮影された画像のサービスを受けることができる。まず、ステップ２１０では、提供装置６２のＩＤリーダ６６がカメラ５２のＲＦＩＤタグ５４から発信された引換番号を読取るまで否定判定が繰り返され、肯定されるとステップ２１１へ進む。
【００５８】
ステップ２１１では、制御部６８が、ＩＤリーダ６６によって読取られた引換番号が記録部６４に記録されているか否かを判定し、肯定されるとステップ２１２へ進み、否定されると画像サービスは行われずに本フローを終了する。
【００５９】
なお、ＲＦＩＤリーダライタ５８によって引換番号をＲＦＩＤタグ５４に書き込む際に、引換番号とは別に、カメラ５２の持ち主が撮影禁止区域１２に入場した入場記録をＲＦＩＤタグ５４に書込み、この入場記録をＩＤリーダ６６が読み取られるか否かを判定するようにしても良い。
【００６０】
そして、ステップ２１２では、プリントサービスか画像データ配信サービスかを選択する。入力部４０には、プリントサービスか画像データ配信サービスかを選択する選択ボタン（図示省略）が備えられている。プリントサービスが選択されるとステップ２１３へ進み、画像データ配信サービスが選択されるとステップ２１４へ進む。
【００６１】
ステップ２１３では、入力部４０に備えられた画像選択ボタン（図示省略）によって所望の画像コマを選択し、プリントボタン（図示省略）を押してプリントアウトし、本フローを終了する。
【００６２】
ステップ２１４では、図１６に示すように、入力部４０によってメールアドレス等の個人情報を入力し、画像選択ボタンによって所望の画像コマを選択し、転送ボタン（図示省略）を押して画像データをサーバー７２から携帯電話４８や自宅のパソコン４９に配信する。そして、本フローを終了する。
【００６３】
以上、説明したように、カメラ５２にＲＦＩＤタグ５４を設け、ＲＦＩＤタグ５４から発信される無線信号をアンテナ２２に受信させることによって撮影禁止区域１２へのカメラ５２の持ち込みを検出するようにしたので、入場者の一人一人に対して持ち物検査をする必要がなく、撮影禁止区域への入場者の誘導をスムーズに行うことができる。
【００６４】
また、回収したカメラ５２を返却する際には、ＲＦＩＤタグ５４から発信される引換番号と、引換券に記載されている引換番号との照合を行うことによって、持ち主から預かったカメラ５２を間違いなく持ち主に返却できる。
【００６５】
さらに、撮影禁止区域１２での撮影を禁止した入場者に対して特別に画像サービスを提供できる。
【図面の簡単な説明】
【００６６】
【図１】第１実施形態の撮影機器持ち込み禁止システムを示す斜視図である。
【図２】第１実施形態の撮影機器持ち込み禁止システムのカメラを示す斜視図である。
【図３】第１実施形態の撮影機器持ち込み禁止システムのデジタルカメラ、読取装置を示す斜視図である。
【図４】第１実施形態の撮影機器持ち込み禁止システムの提供装置を示す斜視図である。
【図５】第１実施形態の撮影機器持ち込み禁止システムの概略構成を示すブロック図である。
【図６】第１実施形態の撮影機器持ち込み禁止システムによる撮影機器の預け渡しから撮影画像のサービスまでの流れを示すフローチャートである。
【図７】第１実施形態の撮影機器持ち込み禁止システムによる撮影機器の預け渡しから返却までの流れを説明する図である。
【図８】第１実施形態の撮影機器持ち込み禁止システムによる画像データ配信サービスを示す斜視図である。
【図９】第２実施形態の撮影機器持ち込み禁止システムのデジタルカメラを示す図である。
【図１０】第２実施形態の撮影機器持ち込み禁止システムを示す斜視図である。
【図１１】第２実施形態の撮影機器持ち込み禁止システムのデジタルカメラ、読取装置を示す斜視図である。
【図１２】第２実施形態の撮影機器持ち込み禁止システムの概略構成を示すブロック図である。
【図１３】第２実施形態の撮影機器持ち込み禁止システムの提供装置を示す斜視図である。
【図１４】第２実施形態の撮影機器持ち込み禁止システムによる撮影機器の預け渡しから撮影画像のサービスまでの流れを示すフローチャートである。
【図１５】第２実施形態の撮影機器持ち込み禁止システムによる撮影機器の預け渡しから返却までの流れを説明する図である。
【図１６】第２実施形態の撮影機器持ち込み禁止システムによる画像データ配信サービスを示す斜視図である。
【符号の説明】
【００６７】
１０    撮影機器持ち込み禁止システム
１２    撮影禁止区域
１４    カメラ（撮影機器）
１６    ＩＤタグ（無線タグ）
１８    入場口
２２    アンテナ（検出手段）
２５    ハンドスキャナ（第１照合手段、第２照合手段）
２６    引換券
２７    制御部（第１照合手段）
２８    発券装置（発券手段）
２９    ＩＤリーダ（第１識別情報読取り手段、第１照合手段）
３４    記録部（第１記録手段）
３６    ＩＤリーダ（第２識別情報読取り手段）
３８    制御部（第１制御手段）
４４    プリント部（第１提供手段）
４６    サーバー（第１提供手段）
５０    撮影機器持ち込み禁止システム
５２    カメラ（撮影機器）
５４    ＲＦＩＤタグ（無線タグ）
５８    ＲＦＩＤリーダライタ（第１入力手段、第２照合手段、第２入力手段）
６０    引換券
６４    記録部（第２記録手段）
６６    ＩＤリーダ（引換情報読取り手段、入場記録読取り手段）
６８    制御部（第２制御手段、第３制御手段）
７０    制御部（第２照合手段）
７１    プリント部（第２提供手段、第３提供手段）
７２    サーバー（第２提供手段、第３提供手段）
【図１】
2005128839.tif 000003
【図２】
2005128839.tif 000004
【図３】
2005128839.tif 000005
【図４】
2005128839.tif 000006
【図５】
2005128839.tif 000007
【図６】
2005128839.tif 000008
【図７】
2005128839.tif 000009
【図８】
2005128839.tif 000010
【図９】
2005128839.tif 000011
【図１０】
2005128839.tif 000012
【図１１】
2005128839.tif 000013
【図１２】
2005128839.tif 000014
【図１３】
2005128839.tif 000015
【図１４】
2005128839.tif 000016
【図１５】
2005128839.tif 000017
【図１６】
2005128839.tif 000018